(57)【要約】【課題】  多層基板上に複数の接続端子を含む大型の電子部品を配置する場合が増加している。かかる基板のリフロー時における過熱・冷却を減ると、基板各層の熱膨張・熱収縮が異なるために基板が反り、大型の電子部品の接続端子が浮くことがある。この接続端子の浮き対策のため、大量の余剰はんだを基板上に配置すると他の部品との短絡の問題が生じていた。【解決手段】  接続端子に対応するランドの一部を絶縁体であるソルダーレジストで覆う一方、かかるソルダーレジスト上にもクリームはんだを盛ってリフローを行う。クリームはんだの総量は変化しないが、ランド・接続端子間の接触面積が減るためはんだの盛り高さを確保できる。【選択図】  図５
2006344889.tif 000002
【特許請求の範囲】
【請求項１】
複数の接続端子を有する大型電子部品を接続する基板のランド構造であって、
前記ランド上を２以上に分割するソルダーレジスト層を有することを特徴とする大型電子部品を接続する基板のランド構造。
【請求項２】
請求項１記載の基板のランド構造であって、
前記ソルダーレジスト層は前記ランド上に構成されることを特徴とする基板のランド構造。
【請求項３】
ソルダーレジスト層によって２以上に分割された接続用のランドを有する基板上に複数の接続端子を有する大型電子部品の接続方法であって、
前記ランド上及び前記ソルダーレジスト上にはんだを一体に塗布するステップと、
前記塗布したはんだ上に前記大型部品の接続端子を載置するステップと、
前記大型部品を載置した前記基板を加熱するステップからなる大型電子部品の接続方法。
【請求項４】
請求項３記載の大型電子部品の接続方法であって、
さらに加熱した前記基板を冷却するステップからなる大型電子部品の接続方法。
【発明の詳細な説明】
【技術分野】
【０００１】
本発明はプリント配線基板上に大型電子部品の実装を行うための方法に関する。
【背景技術】
【０００２】
ノートパソコンやＰＤＡ、携帯電話機、デジタルオーディオプレイヤーなど、個人が携帯する携帯情報端末は増加する一方である。また、個々の携帯情報端末の機能は高度化、複雑化している。このため基板上にはＣＰＵ（セントラルプロセッシングユニット）、ＤＳＰ（デジタルシグナルプロセッサ）、ＣＣＤ（チャージカップルドデバイス：電荷結合素子）、ＨＤＤ（ハードディスクデバイス）といった大型の部品の実装を要求される。また従来基板上にパターン構成されていた無線回路や表示部制御デバイス等も1チップ化されることで実装コストの低減を図る動きも進んでいる。
【０００３】
このように、基板上には大型の電子デバイスが実装される機会が多くなっている。一方で、このような傾向が進むことで新たな問題が新たに生じている。以下この問題について述べる。
【０００４】
これらを含む電子部品の実装に際して基板上にはんだを印刷等して塗布して部品を配置したのち、リフローを行うことで部品を基板上に固定する。このリフロー時に、リフロー炉の炉中は摂氏１４０度以上に加熱され、その後放熱されるため、リフロー対象の基板は短時間に加熱、冷却されることとなる。このように加熱等されると、基板によっては大きなそりが発生する。一般的に用いられている多層基板は、必ずしも層ごとの熱膨張率、熱収縮率が同じではないためである。
【０００５】
このそりが発生すると、以下のような問題が生じる。
【０００６】
図８はそりが発生した際の基１上の大型電子部品２周辺の拡大図である。ここで大型電子部品２は２以上の大型電子部品接続端子５を有するものとする。
【０００７】
基板１上には大型部品を実装するためのランド７が設けられている。リフロー前においては、このランド７上にはんだ６が盛られ、その上に大型電子部品接続端子５を配置する。その後加熱、冷却することではんだ６が溶融し大型電子部品接続端子５とランド７が電気的に固定されることとなる。
【０００８】
しかし、図８のように加熱・冷却工程中に基板に「そり」が発生すると複数の大型電子部品接続端子５のうち一が固定される一方、別の一は「そり」により浮き４が発生し、はんだ６による接続ができない不具合が発生してしまう。
【０００９】
この「そり」に接続不良を解決する対策として以下のようなものが存在する。
【００１０】
特開２００３−２４３８１８号公報には配線基板の半導体電子部品の実装部のそりに合わせて、配線基板のランドに形成されるはんだ高さを変化させることにより、配線基板のそりが大きくても確実に半導体電子部品の接続端子を半導体基板のランドに接続する思想が開示されている。
【００１１】
【特許文献１】特開２００３−２４３８１８号公報
【発明の開示】
【発明が解決しようとする課題】
【００１２】
しかし特許文献1記載の発明ではランドの高さを決定する際に、事前にリフロー工程による基板のそりを事前計算若しくは現物にあわせて設計する必要がある。
【００１３】
本発明は掛かる事前処理を行うことなく、「そり」による部品の浮き吸収できる方法を提供することにある。
【課題を解決するための手段】
【００１４】
本発明に係る複数の接続端子を有する大型電子部品を接続する基板のランド構造は、ランドを２以上に分割するソルダーレジスト層を有することを特徴とする。
【００１５】
またこの基板のランド構造のソルダーレジスト層はランド上に構成されることを特徴とする。
【００１６】
本発明に係る複数の接続端子を有する大型電子部品の接続方法は、ランド上及びソルダーレジスト上にはんだを一体に塗布するステップと、塗布したはんだ上に大型部品の接続端子を載置するステップと、大型部品を載置した基板を加熱するステップからなることを特徴とする。
【００１７】
さらにこの大型電子部品の接続方法は、加熱した前板を冷却するステップを含めても良い。
【発明の効果】
【００１８】
本発明の構成を取ることで従来までの大型電子部品用ランドと同じはんだ供給量でも、はんだの高さの増加が可能となり、プリント配線基板がそった場合や、大型電子部品の接続端子の「浮き」が発生した場合でも、大型電子部品用ランドと大型電子部品接続端子との間の隙間がはんだで埋まり、電気的又は構造的に接続することが可能となる。
【発明を実施するための最良の形態】
【００１９】
以下、本発明の実施の形態について図面を参照して説明する。
（実施例１）
図１は本発明の第１の実施形態に用いるプリント配線基板１及びランド１１を表す図面であり、一方、図２は従来用いられてきたプリント配線基板１等を表す図である。また図３はそのランド１１周辺の断面図を、
プリント配線基板１は大型部品の実装対象になる基板である。リフロー時に発生するこのプリント配線基板１のそりが本発明の課題となる。
【００２０】
ランド１１は大型電子部品２の大型電子部品接続端子５をはんだで接続するための接続端子である。この端子を介してプリント配線基板１に配されたパターンと接続することで、回路を構成し、無線機能等を実現する。
【００２１】
近隣部品用ランド１２は大型部品近傍の小型部品を固定するためのランドである。
【００２２】
従来、基板の「そり」に伴う大型電子部品接続端子５の浮きが発生する問題の解決策として、ランド１１に載る「はんだ」の領域を大きく取るという解決策があった。
【００２３】
従来の大型部品用はんだ開口部１０１はこの解決策を取った際のクリームはんだ印刷機により塗布された「はんだ」の領域を表すものである。このようにクリームはんだ印刷範囲を広く取ることで「そり」による浮きを補充するための「余剰はんだ」の塗布量を増やし、「そり」の量への対応を可能にする。クリームはんだ印刷機での作業は概略すると以下の通りである。最初にプリント配線基板１上に、ランドに対応する開口部を有した「はんだ」マスクを固定する。その後各開口部にクリームはんだを充填し、スキージといわれるハケで不要な「はんだ」を掻き取る。その後「はんだ」マスクを外すとはんだ層が形成される。すなわち、従来の大型部品用はんだ開口部１０１は「はんだ」マスクに大きな開口部を設けた際のその外延を表す。
【００２４】
しかし、この従来の大型部品用はんだ開口部１０１を大きくすると、近隣部品用はんだ開口部１０２との距離が近接し、はんだの「漏れ」による回路の短絡が発生する可能性がある。
【００２５】
これに対し、本発明においてはランド１１にソルダーレジスト層１３を２本入れている。ソルダーレジストとは「はんだ付け」に必要なランド以外のパターンなどに半田が付かないようにするコーティング材のことである。これをランド１１内に設けることで、はんだ開口部を広げることなくプリント配線基板１上に余剰はんだを用意することが可能になる。このソルダーレジストはプリント配線基板１にも塗布され、不要な箇所に「はんだ」が付くことを防いでいる。
【００２６】
図1のＡ−Ａ断面を拡大して表したのが、図３のランド１１周辺の拡大断面図である。
【００２７】
プリント配線基板１は多層基板であることを示す（図では３層）。この層ごと素材の熱膨張率が相違することにより基板のそりが発生する。
【００２８】
ランド１１上にはソルダーレジスト層１３が形成されていることがわかる。
【００２９】
図３で表されたランド１１に対してクリームはんだ印刷機によりはんだを印刷した際の断面図が図４である。
【００３０】
はんだ層１４はクリームはんだ印刷機により印刷された、「はんだ」の層である。前述のようにクリームはんだ印刷機を用いてペースト状のはんだを塗布したものである。この際に、ソルダーレジスト層１３上にもクリームはんだを塗布しておくことで、従来の大型部品用はんだ開口部１０１の外延相当部に盛られる「余剰はんだ」の量を確保する。
【００３１】
また、本図では「はんだ」の領域をランド１１周辺に拡大している点で、従来のプリント配線基板１と同様の記載をしているが、これは特に無くてもよい。
【００３２】
図４のはんだ塗布後のプリント配線基板１に大型電子部品２を配置し、リフローを行った後の図1のＡ−Ａ断面を拡大したものが図５である。
【００３３】
前述のソルダーレジスト層１３はリフローされた場合に「はんだ」をはじく。従って、リフロー時の加熱によってソルダーレジスト層１３上の「クリームはんだ」は両脇のソルダーレジスト層１３が形成されていないランド１１に移動する。
【００３４】
また、図４で記載されたように、ランド１１周辺に「はんだ」の塗布領域が拡大されている場合にも同様な挙動をする。すなわち基板上にもソルダーレジストが塗布されているので、過熱されると「はんだ」が流動性を持つと、表面張力によりランド１１及び大型電子部品接続端子５方向に流れる（図５の矢印方向）。
【００３５】
以上のようにランド１１上にソルダーレジスト層１３を設けると共に大型部品用はんだ開口部１０１を最小にすることで、恣意的にはんだの流動方向を誘導し近隣部品用ランド１２に短絡しないようにする。あわせて「そり」によるランド１１と大型電子部品接続端子５との距離が増したときに、ソルダーレジスト層１３上に塗布された「余剰はんだ」を利用して隙間を埋め、接続不良が発生することを防止する。
【００３６】
上述する実施例においてはランド１１ごとにソルダーレジスト層１３を２本引いているがこれに限定されるものではない。間隔を狭くして多数本のソルダーレジスト層１３を設けても良い。また、このソルダーレジスト層１３の形状は任意のものであっても良い。また、必ずしも「線」にこだわるものでなく、図６のように十字であっても良い。
【００３７】
さらにソルダーレジストの代わりに同様の効果を有するシルクやポリイミド材をソルダーレジスト層１３に適用しても良い。
【００３８】
またプリント配線基板１以外にもフレキシブルプリント配線板や、リジッドフレキシブル配線板に用いても良い。
【００３９】
加えてランド１１上にソルダーレジスト層１３を形成する方法以外にも、プリント配線基板１上に個別にランド１１ａ乃至ｃを設け、プリント配線基板１中で相互に接続するようにしても良い。
【図面の簡単な説明】
【００４０】
【図１】本発明に係るプリント配線基板１及びランド１１を表す上面図である。
【図２】従来のプリント配線基板１及びランド１１を表す上面図である。
【図３】はんだを印刷する前の本発明に係るランド１１周辺の拡大断面図である。
【図４】はんだを印刷した後の本発明に係るランド１１周辺の拡大断面図である。
【図５】リフロー後の本発明に係るランド１１周辺の拡大断面図である。
【図６】ランド１１上のソルダーレジスト層１３の別のパターンを表した上面図である。
【図７】ランド１１の異なる構成を表した断面図である。
【図８】本発明の課題であるプリント配線基板１のたわみを表す図である。
【符号の説明】
【００４１】
１：  プリント配線基板
２：  大型電子部品
１１：  ランド
１２：  近隣部品用ランド
１３：  ソルダーレジスト層
【図１】
2006344889.tif 000003
【図２】
2006344889.tif 000004
【図３】
2006344889.tif 000005
【図４】
2006344889.tif 000006
【図５】
2006344889.tif 000007
【図６】
2006344889.tif 000008
【図７】
2006344889.tif 000009
【図８】
2006344889.tif 000010